(57)【要約】      （修正有）【課題】唇が口内に沈むことを防ぐことができる、口腔前庭に挿入する唇支持具を提供する。【解決手段】上唇を裏側から支持する上唇支持部１１と、下唇を裏側から支持する下唇支持部１２と、を備え、前記上唇支持部及び前記下唇支持部の少なくとも一方には、当該唇支持部が支持する唇が、正常とされる形状となるように形成された隆起部１４ａ、１４ｂが設けられていることを特徴とする唇支持具１。【選択図】図２
2019195524.tif 000002
【特許請求の範囲】
【請求項１】
上唇を裏側から支持する上唇支持部と、下唇を裏側から支持する下唇支持部と、を備え、
前記上唇支持部及び前記下唇支持部の少なくとも一方には、当該唇支持部が支持する唇が、正常とされる形状となるように形成された隆起部が設けられていることを特徴とする唇支持具。
【請求項２】
前記隆起部の高さは、２ｍｍ〜１０ｍｍの範囲内に設定されていることを特徴とする、請求項１に記載の唇支持具。
【請求項３】
前記隆起部の幅は、１０ｍｍ〜２５ｍｍの範囲内に設定されていることを特徴とする、請求項１または２に記載の唇支持具。
【請求項４】
前記隆起部は、前記上唇支持部と前記下唇支持部との両方に、設けられていることを特徴とする、請求項１〜３の何れかに記載の唇支持具。
【請求項５】
前記上唇支持部に設けられた隆起部の最も高い部分は、前記下唇支持部に設けられた隆起部の最も高い部分よりも、高いことを特徴とする、請求項４に記載の唇支持具。
【請求項６】
前記隆起部は、前記上唇支持部または前記下唇支持部の何れか一方にのみに、設けられていることを特徴とする、請求項１〜３の何れかに記載の唇支持具。
【請求項７】
前記唇支持具には、小帯避けが設けられていることを特徴とする、請求項１〜６の何れかに記載の唇支持具。
【発明の詳細な説明】
【技術分野】
【０００１】
本発明は、口腔前庭に挿入する唇支持具に関するものである。
【背景技術】
【０００２】
人が亡くなると、一般的には葬儀が行われる。また、葬儀の業者は、できるかぎり遺体の姿を、生前の風貌に近づけようと処理を行う。遺体の風貌が生前とあまりにも異なると、遺族は喪失感や悲しみをさらに強く抱いてしまう。遺族の悲しみを少しでも和らげ、死者と向き合い別れを告げられるように、葬儀業者は遺体を生前の姿に近づけようと工夫する。
【０００３】
しかし、死者が生前装着していた総入れ歯や、虫歯治療のための詰め物などの義歯は火葬することができないため、取り外す必要がある。理由は、義歯には金属やプラスチックが使用されており、金属は火葬で燃えず、プラスチックは加熱すると高温になり焼却炉を傷め、さらに有害な気体をも発生させるためである。死者が総入れ歯の人である場合や、義歯が多い人の場合、それらを取り除くと、唇の支えが無くなってしまうため、重力によって唇が口内へ沈んでしまう。そして、その姿は、死者が生前、起きて活動していた時の姿や、遺族と過ごした時の姿とは異なる。
【０００４】
火葬することができ、遺体の口元の風貌を生前に近づけるための道具は、従来から考えられてきた。例えば、特許文献１には、歯のない部分に装着でき、遺体の口元の外観を良くすることができる義歯の技術が記載されている。
【０００５】
また、特許文献２には、歯がないことによって頬が口内に沈むことを防ぐための、火葬できる顔面矯正具が記載されている。
【先行技術文献】
【特許文献】
【０００６】
【特許文献１】特開２０００−３４２６０４
【特許文献２】特開２００２−８５４９１
【発明の概要】
【発明が解決しようとする課題】
【０００７】
特許文献２の技術は、遺体の歯が全て無い場合でしか使用することができない。一部の歯、例えば上の歯は無いが下の歯は残っている、というような場合にも使うことができる支持具が求められる。
また、特許文献１の技術は、一本一本の歯を装着するという手間と技術が必要である。死者の一人一人に合わせて葬儀用義歯を装着するような、丁寧さと技術を求めるという価値観に応える道具は当然必要だが、一方で安価で手軽に誰にでも容易に装着することができるという価値観に応える道具も、求められている。
【０００８】
本発明は、そのような問題に鑑みて発明されたもので、唇が口内に沈むことを防ぐことができる、口腔前庭に挿入する唇支持具を提供するためのものである。
【課題を解決するための手段】
【０００９】
本発明は、上唇を裏側から支持する上唇支持部と、下唇を裏側から支持する下唇支持部と、を備え、
前記上唇支持部及び前記下唇支持部の少なくとも一方には、当該唇支持部が支持する唇が、正常とされる形状となるように形成された隆起部が設けられていることを特徴とする。
【００１０】
このようにすることで、唇が口腔内に沈むのを防ぐことができ、さらに歯があるかのような自然な立体感で、唇を支えることができる。
【００１１】
本発明の好ましい形態では、前記隆起部の高さは、２ｍｍ〜１０ｍｍの範囲内に設定されていることを特徴とする。
本発明の好ましい形態では、前記隆起部の幅は、１０ｍｍ〜２５ｍｍの範囲内に設定されていることを特徴とする。
これらの範囲は、唇が自然な形状に見える数値範囲である。この範囲外では、装着した時に唇の膨らみが不自然になるおそれがある。そのため、このようにすることで、より多くの人の唇を、自然な形状で支えることができる。
【００１２】
本発明の好ましい形態では、前記隆起部は、前記上唇支持部と前記下唇支持部との両方に、設けられていることを特徴とする。
このようにすることで、上下ともに歯の無い遺体の唇を支えることができる。
【００１３】
本発明の好ましい形態では、前記上唇支持部に設けられた隆起部の最も高い部分は、前記下唇支持部に設けられた隆起部の最も高い部分よりも、高いことを特徴とする。
このようにすることで、正常とされる形状で、唇を支えることができる。
【００１４】
前記隆起部は、前記上唇支持部または前記下唇支持部の何れか一方にのみに、設けられていることを特徴とする。
このようにすることで、上、もしくは下の歯のどちらか一方のみの歯が無い遺体の唇を、生前の姿に近い状態で支えることができる。
【００１５】
本発明の好ましい形態では、前記唇支持具には、小帯避けが設けられていることを特徴とする。
このようにすることで、本発明の唇支持具を、上唇小帯や下唇小帯に邪魔されることなく、適した位置に装着することができる。
【図面の簡単な説明】
【００１６】
【図１】人体の頭部の一部断面図である。
【図２】実施形態１に係る、唇支持具の三面図である。
【図３】実施形態１に係る、遺体に唇支持具を装着した状態を示す図である。
【図４】実施形態２に係る、唇支持具の三面図である。
【図５】実施形態２に係る、遺体に唇支持具を装着した状態を示す図である。
【図６】実施形態３に係る、唇支持具の三面図である。
【図７】実施形態３に係る、遺体に唇支持具を装着した状態を示す図である。
【発明を実施するための形態】
【００１７】
以下、図面を用いて実施形態の一例を説明する。また、以降使用する前後・左右・上下という方向の表現、前額面・矢状面・水平面という面の表現は、解剖学で使用される人体の方向・面の表現である。
・前額面：鉛直面の一つで、人体の正中線に垂直な、人体を前後に分ける面のこと。
・矢状面：鉛直面の一つで、人体の正中線に平行な、人体を左右に分ける面のこと。
・水平面：正中線に垂直な、人体を上下に分ける面のこと。
唇支持具の方向・面は、唇支持具を遺体に装着した状態において、遺体の方向・面と同一であると定義する。
例えば、図２（ウ）の唇支持具１の左手側は、解剖学における方向表現の前側と呼び、図２（ア）の唇支持具１の長手方向は、解剖学における方向表現の左右方向と呼ぶ。
【００１８】
また、以降用いる、鉛直距離は同一矢状面、又は同一前額面上に正射影された２点間の距離である。水平距離は、同一水平面上に正射影された２点間の距離である。
【００１９】
いずれの実施例にも共通するため、まず口内の構造について説明する。図１（ア）は、歯が生えそろっている成人の口腔の、簡単な一部断面図である。図中の符号９は、人体、または遺体である。上唇９４及び下唇９５と、上顎歯（上の歯）９７及び下顎歯（下の歯）９８との間の空間９６は、口腔前庭と呼ばれる。上顎歯９７と下顎歯９８の後側には舌９３がある。
また、口腔前庭９６を説明するため、上唇９４と上顎歯９７、下唇９５と下顎歯９８とを離間して描いたが、実際は上唇９４と上顎歯９７、下唇９５と下顎歯９８とはそれぞれ密着している。
【００２０】
図１（イ）は、上顎歯９７及び下顎歯９８ともに全て抜けてしまった遺体９の、簡単な一部断面図である。遺体９は、通常、仰向けに寝た姿勢（仰臥位）にして置かれる。上唇９４を支える上顎歯９７と、下唇９５を支える下顎歯９８とが、ともに無いため、上唇９４及び下唇９５は、重力によって口腔内に沈んでしまう。図では上・下顎歯９７・９８ともに無い状態の遺体９を示したが、上顎歯９７のみが無い場合には上唇９４が、下顎歯９８のみが無い場合には下唇９５が、それぞれ口腔内に沈む。
[実施形態１]
【００２１】
実施形態１は、上顎歯９７及び下顎歯９８の両方が無い遺体９Ａに使用する唇支持具１である。図２は、実施形態１の唇支持具１の（ア）正面図、（イ）底面図、（ウ）右側面図である。（ウ）に図示された唇支持具１の手前側は、唇支持具１の左側である。図２（ア）、（イ）中の線分Ｃは、唇支持具１の中心線である。この中心線Ｃと人体の正中線とが重なるように、唇支持具１を口腔前庭に挿入する。
【００２２】
唇支持具１は、図１（イ）に示されるように、前後方向に湾曲している。この湾曲は、歯肉９１・９２の湾曲に沿うような曲率で形成されている。こうすることで、違和感なくぴったりと合うように、唇支持具１を遺体９Ａの口腔前庭に装着することができる。
【００２３】
唇支持具１は、上唇支持部１１と、下唇支持部１２とで構成されており、上唇支持部１１と下唇支持部１２にはそれぞれに隆起部１４が設けられている。上唇支持部１１に設けられた隆起部１４ａは、上唇用隆起部、下唇支持部１２に設けられた隆起部１４ｂは、下唇用隆起部、とする。
【００２４】
隆起部１４の、好ましい幅について説明する。図１（ア）内の符号Ｗは、隆起部１４の幅を示している。隆起部１４の幅Ｗは、隆起部１４の最も上部に位置する点と、最も下部に位置する点との、鉛直距離である。
【００２５】
唇支持具１の、隆起部１４の幅Ｗはそれぞれ、上唇用隆起部１４ａが１３ｍｍ、下唇用隆起部１４ｂが１８ｍｍ、となっている。上唇９４の裏の幅（上顎歯肉９１前側の付け根から、上唇９４の下端までの鉛直距離）よりも、下唇９５の裏の幅（下顎歯肉９２前側の付け根から、下唇９５の上端までの鉛直距離）の方が、一般的に大きい。そのため、隆起部１４の幅Ｗは、上唇用隆起部１４ａよりも、下唇用隆起部１４ｂの方が大きくなるよう形成されている。こうすることで、正常とされる綺麗な膨らみで、唇の形状を保つことができる。
ただし、実施形態はこれに限らず、隆起部１４の幅Ｗは、特許請求の範囲内で自由にして良い。特許請求の範囲に示される隆起部１４の幅Ｗの範囲は、唇が自然な形に見えるような数値範囲に設定している。
【００２６】
次に、隆起部１４の、好ましい高さについて説明する。図１（ウ）内の符号Ｈは、隆起部１４の高さを示している。隆起部１４の高さＨは、中心線Ｃ上の隆起部１４の最も前方にある点と、中心線Ｃ上の隆起部１４の最も後方にある点との、水平距離である。
【００２７】
唇支持具１の、隆起部１４の高さＨはそれぞれ、上唇用隆起部１４ａが６ｍｍ、下唇用隆起部１４ｂが４ｍｍ、となっている。唇の厚みなど個人差はあるものの、正常な形状とされるのは、上唇が下唇よりも少し前方に出ている状態である。そのため、上唇用隆起部１４ａの方が、下唇用隆起部１４ｂよりも少し高く、前方に突出している。こうすることで、正常とされる自然な唇の膨らみを、保つことができる。
ただし、実施形態はこれに限らず、隆起部１４の高さＨは、特許請求の範囲内で自由にして良い。特許請求の範囲に示される隆起部１４の高さＨの範囲は、唇が自然な形に見えるような数値範囲に設定している。
【００２８】
唇の裏と、歯肉との間に縦に走る薄いヒダの部分を、上唇小帯・下唇小帯という。本実施形態の唇支持具１には、上唇支持部１１の上辺と、下唇支持部１２の下辺に、曲線形状に切り取られた、小帯避け１３という部分が設けられている。
【００２９】
本実施形態では、上・下唇支持部１１・１２のうち、隆起部１４となっていない平滑な部分を、隆起部１４の外周に設けてある。平滑な外周部分を設けることで、唇支持具１を装着した時の安定感を増すことができる。しかし、平滑な外周部分の外形を、２つの略楕円形を重ねただけのような形状とすると、口腔前庭にある上唇小帯・下唇小帯と接触してしまい、うまく装着できない。そのため、上唇小帯・下唇小帯を避けることができる切り込みを、唇支持具１の中心線Ｃ上に設けている。
【００３０】
本実施形態では、唇支持具１の内側に突出する、二次関数グラフのような曲線の形状に、唇支持具１を切り取り、小帯避けを設けているが、実施形態はこれに限らない。小帯をよけることができ、装着時に安定するのであれば、どのような切り込み形状でも良い。
【００３１】
図３の遺体９Ａは、上顎歯９７及び下顎歯９８がともに抜け落ちてしまっている人の、一部断面図である。口腔内前方のみを正中線断面図で示しており、唇支持具１は断面図ではない。
【００３２】
遺体９Ａに唇支持具１を装着しようとする者は、まず、唇支持具１を開いた口裂から口腔前庭９６に入れ、歯肉９１・９２に置く。次に、唇支持具１がずれないように、そっと上唇９４と下唇９５とを、唇支持具１に被せるようにして、遺体９Ａの口を閉じる。
【００３３】
図３に示されるように、隆起部１４を備えた唇支持具１を装着することによって、遺体９Ａが仰臥位にされても、遺体９Ａの上唇９４・下唇９５は、口腔内に沈まず、歯がある状態のように前方に膨らんだ状態で保持される。
【００３４】
また、唇支持具１は遺体９Ａとともに火葬しても焼却炉に影響がないため、遺族は遺体９Ａを、生前の風貌のまま、最後まで見送ることができる。
[実施形態２]
【００３５】
実施形態２は、下顎歯９８のみが抜け落ちてしまった遺体９Ｂに装着するための、唇支持具２である。図４は、実施形態２の唇支持具２の（ア）正面図、（イ）底面図、（ウ）右側面図である。（ウ）に図示された唇支持具２の手前側は、唇支持具２の左側である。図４（ア）、（イ）中の線分Ｃは、唇支持具１の中心線である。この中心線Ｃと人体の正中線とが重なるように、唇支持具１を口腔前庭に挿入する。
【００３６】
唇支持具２は、図４（イ）に示されるように、前後方向に湾曲している。この湾曲は、歯肉９１・９２の湾曲に沿うような曲率で形成されている。こうすることで、違和感なくぴったりと合うように、唇支持具２を遺体９Ｂの口腔前庭に装着することができる。
【００３７】
唇支持具２は、上唇支持部２１と、下唇支持部２２とで構成されており、下唇支持部２２にのみ、隆起部２４が設けられている。
【００３８】
本実施形態の唇支持具２の、隆起部２４の幅Ｗ（図示略）は、１８ｍｍとしている。ただし、実施形態はこれに限らない。体格の違いや口の大きさは人によって異なるため、適した隆起部２４の幅Ｗも当然異なる。このため、特許請求の範囲内で、そのほかの値の幅Ｗの隆起部２４を備えた唇支持具２を用意しておくことも考えられる。
【００３９】
本実施形態の唇支持具２の、隆起部２４の高さＨ（図示略）は、４ｍｍとしている。ただし、実施形態はこれに限らない。唇の厚さや歯肉の状態などによって、適した隆起部２４の高さＨは異なるため、特許請求の範囲内で、そのほかの値の高さＨの隆起部２４を備えた唇支持具２を用意しておくことも考えられる。
【００４０】
唇支持具２には、小帯避け２３が設けられている。この小帯避け２３は、実施形態１と同様の構造・効果のため、説明を省略する。詳細は、段落００２８〜００３０を参照されたい。
【００４１】
図５は、下顎歯９８のみが抜け落ちてしまった遺体９Ｂに、（ア）唇支持具２を装着した時、（イ）唇支持具１を装着した時、の状態を示す、一部断面図である。口腔内前方のみを正中線断面図で示しており、唇支持具１および唇支持具２は、断面図ではない。
【００４２】
図５（ア）に示されるように、唇支持具２を装着している遺体９Ｂの上唇９４は、上唇支持部２１を間に挟み、上顎歯９７に支えられている。上顎歯９７があるため、上唇支持部２１に隆起部が設けられていなくても、仰臥位となった際、上唇９４は口腔内に沈まない。また、遺体９Ｂの下唇９５は、抜け落ちた下顎歯９８の代わりに、下唇支持部２２の隆起部２４に支えられている。隆起部２４により、遺体９Ｂが仰臥位にされても、下唇９５は口腔内に沈まず、膨らみを保つことができる。
【００４３】
図５（イ）のように、上顎歯９７が残っているにもかかわらず、上唇支持部１１にも隆起部１４ａが設けられている唇支持具１を装着した場合、上顎歯９７や上顎歯９７を支える歯肉９１の前に、隆起部１４ａが載置されることとなる。通常、上顎歯９７はやや前方に向かって生えており、歯肉９１は歯を支えている状態では、歯が抜け落ちた状態と比較してやや大きく、張りがある。このような状態の上顎歯９７と歯肉９１の前に、上唇用隆起部１４ａを備えた唇支持具１を載置すると、上唇が前方に突出しすぎることとなり、遺体９Ｂが生前とは異なる風貌になってしまう。このため、上顎歯９７が残っている遺体９Ｂには、上唇用隆起部１４ａが設けられていない、実施形態２の唇支持具２を用いる。
【００４４】
装着方法は、実施形態１と同様のため説明を省略する。詳細は、段落００３２を参照されたい。
【００４５】
また、唇支持具２は、実施形態１と同様に、遺体９Ｂとともに火葬しても焼却炉に影響がない。そのため、遺族は遺体９Ｂを、生前の風貌のまま、最後まで見送ることができる。
[実施形態３]
【００４６】
実施形態３は、上顎歯９７のみが抜け落ちてしまった遺体９Ｃに装着するための、唇支持具３である。図６は、実施形態３の唇支持具３の（ア）正面図、（イ）底面図、（ウ）右側面図である。（ウ）に図示された唇支持具３の手前側は、唇支持具３の左側である。図６（ア）、（イ）中の線分Ｃは、唇支持具１の中心線である。この中心線Ｃと人体の正中線とが重なるように、唇支持具１を口腔前庭に挿入する。
【００４７】
唇支持具３は、図６（イ）に示されるように、前後方向に湾曲している。この湾曲は、歯肉９１・９２の湾曲に沿うような曲率で形成されている。こうすることで、違和感なくぴったりと合うように、唇支持具３を遺体９Ｃの口腔前庭に装着することができる。
【００４８】
唇支持具３は、上唇支持部３１と、下唇支持部３２とで構成されており、上唇支持部３１にのみ、隆起部３４が設けられている。
【００４９】
本実施形態の唇支持具３の、隆起部３４の幅Ｗ（図示略）は、１３ｍｍとしている。ただし、実施形態はこれに限らない。体格の違いや口の大きさは人によって異なるため、適した隆起部３４の幅Ｗも当然異なる。このため、特許請求の範囲内で、そのほかの値の幅Ｗの隆起部３４を備えた唇支持具３を用意しておくことも考えられる。
【００５０】
本実施形態の唇支持具３の、隆起部３４の高さＨ（図示略）は、６ｍｍとしている。ただし、実施形態はこれに限らない。唇の厚さや歯肉の状態などによって、適した隆起部３４の高さＨは異なるため、特許請求の範囲内で、そのほかの値の高さＨの隆起部３４を備えた唇支持具３を用意しておくことも考えられる。
【００５１】
唇支持具３には、小帯避け３３が設けられている。この小帯避け３３は、実施形態１と同様の構造・効果のため、説明を省略する。詳細は、段落００２８〜００３０を参照されたい。
【００５２】
図７は、上顎歯９７のみが抜け落ちてしまった遺体９Ｃに、唇支持具３を装着した状態を示す、一部断面図である。口腔内前方のみを正中線断面図で示しており、唇支持具３は、断面図ではない。
【００５３】
図７に示されるように、唇支持具３を装着している遺体９Ｃの下唇９５は、下唇支持部３２を間に挟み、下顎歯９８に支えられている。下顎歯９８があるため、下唇支持部３２に隆起部が設けられていなくても、仰臥位となった際、下唇９５は口腔内に沈まない。また、遺体９Ｃの上唇９４は、抜け落ちた上顎歯９７の代わりに、上唇支持部３１の隆起部３４に支えられている。隆起部３４により、遺体９Ｃが仰臥位にされても、上唇９４は口腔内に沈まず、膨らみを保つことができる。
【００５４】
また、遺体９Ｃに、下唇用隆起部１４ｂが設けられた唇支持具１を用いない理由は、実施形態２で述べた理由と同様である。つまり、通常、下顎歯９８はやや前方に向かって生えており、歯肉９２は歯を支えている状態では、歯が抜け落ちた状態と比較してやや大きく、張りがある。このような状態の下顎歯９８や歯肉９２の前に、下唇用隆起部１４ｂを備えた唇支持具１を載置すると、下唇が前方に突出しすぎることとなり、遺体９Ｃが生前とは異なる風貌になってしまう。
そのため、下顎歯９８が残っている遺体９Ｃには、下唇用隆起部が設けられていない、唇支持具３を用いる。
【００５５】
装着方法は、実施形態１と同様のため説明を省略する。詳細は、段落００３２を参照されたい。
【００５６】
また、唇支持具３は、実施形態１と同様に、遺体９Ｃとともに火葬しても焼却炉に影響がない。そのため、遺族は遺体９Ｃを、生前の風貌のまま、最後まで見送ることができる。
【００５７】
以上、３つの実施例を用いて本発明の説明を行ったが、実施形態は上記の例に限らない。隆起部の形状や、大きさなどは、特許請求の範囲内で自由に変更していい。小柄な人と、大柄な人とでは、口の大きさも異なるため、大・中・小などいくつかのサイズで、唇支持具を用意しておくことも考えられる。
【符号の説明】
【００５８】
１  唇支持具
１１  上唇支持部
１２  下唇支持部
１３  小帯避け
１４  隆起部
１４ａ  上唇用隆起部
１４ｂ  下唇用隆起部
２  唇支持具
２１  上唇支持部
２２  下唇支持部
２３  小帯避け
２４  隆起部
３  唇支持具
３１  上唇支持部
３２  下唇支持部
３３  小帯避け
３４  隆起部
９  遺体（または人体）
９Ａ  全ての歯が無い遺体
９Ｂ  上顎歯が残っている遺体
９Ｃ  下顎歯が残っている遺体
９１  歯肉（上顎）
９２  歯肉（下顎）
９３  舌
９４  上唇
９５  下唇
９６  口腔前庭
９７  上顎歯
９８  下顎歯
【図１】
2019195524.tif 000003
【図２】
2019195524.tif 000004
【図３】
2019195524.tif 000005
【図４】
2019195524.tif 000006
【図５】
2019195524.tif 000007
【図６】
2019195524.tif 000008
【図７】
2019195524.tif 000009
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
上唇を口内側から支持する上唇支持部と、下唇を口内側から支持する下唇支持部と、隆起部とを備え、
前記上唇支持部と、前記下唇支持部とは、全体が前方に突出するように湾曲しており、
前記隆起部は、前記上唇支持部もしくは前記下唇支持部の少なくとも一方に形成され、
前記隆起部は、隆起部が形成されている前記上唇支持部もしくは前記下唇支持部よりも、さらに前方に突出していることを特徴とする、唇支持具（但し、前記隆起部が天然歯の形状を模した義歯であるものを除く）。
【請求項２】
前記隆起部は、前記上唇支持部と前記下唇支持部との両方に、設けられていることを特徴とする、請求項１に記載の唇支持具。
【請求項３】
前記上唇支持部に設けられた隆起部の最も高い部分は、前記下唇支持部に設けられた隆起部の最も高い部分よりも、高いことを特徴とする、請求項２に記載の唇支持具。
【請求項４】
前記隆起部は、前記上唇支持部または前記下唇支持部の何れか一方にのみに、設けられていることを特徴とする、請求項１に記載の唇支持具。
【請求項５】
前記唇支持具には、小帯避けが設けられていることを特徴とする、請求項１〜４の何れかに記載の唇支持具。
【手続補正２】
【補正対象書類名】明細書
【補正対象項目名】０００９
【補正方法】変更
【補正の内容】
【０００９】
本発明は、
上唇を口内側から支持する上唇支持部と、下唇を口内側から支持する下唇支持部と、隆起部とを備え、
前記上唇支持部と、前記下唇支持部とは、全体が前方に突出するように湾曲しており、
前記隆起部は、前記上唇支持部もしくは前記下唇支持部の少なくとも一方に形成され、
前記隆起部は、隆起部が形成されている前記上唇支持部もしくは前記下唇支持部よりも、さらに前方に突出していることを特徴とする（但し、前記隆起部が天然歯の形状を模した義歯であるものを除く）。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
上唇を口内側から支持する上唇支持部と、下唇を口内側から支持する下唇支持部と、隆起部とを備え、
前記上唇支持部と、前記下唇支持部とは、全体が前方に突出するように湾曲しており、
前記隆起部は、前記上唇支持部もしくは前記下唇支持部の少なくとも一方に形成され、
前記隆起部は、隆起部が形成されている前記上唇支持部もしくは前記下唇支持部よりも、さらに前方に突出しており、
前記隆起部は、丸みを帯びた膨らみのある形状であることを特徴とする、唇支持具（但し、前記隆起部が天然歯の形状を模した義歯であるものを除く）。
【請求項２】
前記隆起部は、前記上唇支持部と前記下唇支持部との両方に、設けられていることを特徴とする、請求項１に記載の唇支持具。
【請求項３】
前記上唇支持部に設けられた隆起部の該上唇支持部に対する高さは、前記下唇支持部に設けられた隆起部の該下唇支持部に対する高さよりも、大きいことを特徴とする、請求項２に記載の唇支持具。
【請求項４】
前記隆起部は、前記上唇支持部または前記下唇支持部の何れか一方にのみに、設けられていることを特徴とする、請求項１に記載の唇支持具。
【手続補正２】
【補正対象書類名】明細書
【補正対象項目名】０００９
【補正方法】変更
【補正の内容】
【０００９】
本発明は、
上唇を口内側から支持する上唇支持部と、下唇を口内側から支持する下唇支持部と、隆起部とを備え、
前記上唇支持部と、前記下唇支持部とは、全体が前方に突出するように湾曲しており、
前記隆起部は、前記上唇支持部もしくは前記下唇支持部の少なくとも一方に形成され、
前記隆起部は、隆起部が形成されている前記上唇支持部もしくは前記下唇支持部よりも、さらに前方に突出しており、
前記隆起部は、丸みを帯びた膨らみのある形状であることを特徴とする（但し、前記隆起部が天然歯の形状を模した義歯であるものを除く）。